(57)【要約】【課題】仮想３次元空間における画像表示の優位性を損なわずに、ユーザ等からの見かけ上の距離に関わらず大量の情報を閲覧することが可能な情報表示装置、情報表示プログラム、プログラム記録媒体及び情報表示方法を提供する。【解決手段】表示部１１に表示された仮想３次元空間上に情報表示領域を表示し、この情報表示領域を表示するにあたって、情報表示領域の面積を変化させる領域表示制御部１３と、情報表示領域の面積に応じて、所定の情報を情報表示領域に表示する閲覧情報表示制御部１５とを設ける。【選択図】  図１
2004178085.tif 000002
【特許請求の範囲】
【請求項１】
仮想３次元空間を表示し、さらに該仮想３次元空間上に情報を表示する情報表示装置であって、
前記仮想３次元空間上に情報表示領域を表示する領域表示手段と、
前記情報表示領域に情報を表示する情報表示手段と
を有し、
前記領域表示手段は、前記情報表示領域を表示するにあたって、該情報表示領域の面積を変化させる手段であり、
前記情報表示手段は、前記情報表示領域の面積に応じて、所定の情報を前記情報表示領域に表示する手段である
ことを特徴とする情報表示装置。
【請求項２】
前記情報表示手段は、前記情報表示領域の面積についての閾値と、該閾値と前記情報表示領域の面積との数的関係に応じて表示すべき情報を決定する手段であることを特徴とする請求項１に記載の情報表示装置。
【請求項３】
前記情報表示手段は、面積が前記閾値より小である情報表示領域には前記面積に応じて情報容量が小である情報を表示し、面積が前記閾値より大である情報表示領域には前記面積に応じて情報容量が大である情報を表示する手段であることを特徴とする請求項１又は２に記載の情報表示装置。
【請求項４】
前記情報表示手段は、前記表示した情報の情報容量が小である場合に前記領域表示手段を制御することにより前記面積が大である情報表示領域を表示させ、該面積が大である情報表示領域に前記情報容量が大である情報を表示する手段であることを特徴とする請求項３に記載の情報表示装置。
【請求項５】
前記情報にはＨＴＭＬタグとＸＭＬタグのうちの少なくとも一方が用いられることを特徴とする請求項１乃至４のいずれか１項に記載の情報表示装置。
【請求項６】
他の装置から前記情報を受信する受信手段と、他の装置へ前記情報を送信する送信手段のうちの少なくとも一方を有することを特徴とする請求項１乃至５のいずれか１項に記載の情報表示装置。
【請求項７】
コンピュータに仮想３次元空間を表示させ、さらに該仮想３次元空間上に情報を表示させるための情報表示プログラムであって、
前記コンピュータを、
前記仮想３次元空間上に情報表示領域を表示する領域表示手段と、
前記情報表示領域に情報を表示する情報表示手段
として機能させ、
前記領域表示手段を、前記情報表示領域を表示するにあたって、該情報表示領域の面積を変化させる手段として機能させ、
前記情報表示手段を、前記情報表示領域の面積に応じて、所定の情報を前記情報表示領域に表示する手段として機能させる
ことを特徴とする情報表示プログラム。
【請求項８】
前記情報表示手段を、前記情報表示領域の面積についての閾値と、該閾値と前記情報表示領域の面積との数的関係に応じて表示すべき情報を決定する手段として機能させることを特徴とする請求項７に記載の情報表示プログラム。
【請求項９】
前記情報表示手段を、面積が前記閾値より小である情報表示領域には前記面積に応じて情報容量が小である情報を表示し、面積が前記閾値より大である情報表示領域には前記面積に応じて情報容量が大である情報を表示する手段として機能させることを特徴とする請求項７又は８に記載の情報表示プログラム。
【請求項１０】
前記情報表示手段を、前記表示した情報の情報容量が小である場合に前記領域表示手段を制御することにより前記面積が大である情報表示領域を表示させ、該面積が大である情報表示領域に前記情報容量が大である情報を表示する手段として機能させることを特徴とする請求項９に記載の情報表示プログラム。
【請求項１１】
前記情報にはＨＴＭＬタグとＸＭＬタグのうちの少なくとも一方が用いられることを特徴とする請求項７乃至１０のいずれか１項に記載の情報表示プログラム。
【請求項１２】
前記コンピュータを、他の装置から前記情報を受信する受信手段と、他の装置へ前記情報を送信する送信手段のうちの少なくとも一方として機能させることを特徴とする請求項７乃至１１のいずれか１項に記載の情報表示プログラム。
【請求項１３】
請求項７乃至１２のうちの少なくとも１項に記載の情報表示プログラムを記録したことを特徴とするプログラム記録媒体。
【請求項１４】
仮想３次元空間を表示し、さらに該仮想３次元空間上に情報を表示する情報表示方法であって、
前記仮想３次元空間上に情報表示領域を表示する領域表示ステップと、
前記情報表示領域に情報を表示する表示ステップと
を有し、
前記領域表示ステップは、前記情報表示領域を表示するにあたって、該情報表示領域の面積を変化させるステップであり、
前記表示ステップは、前記情報表示領域の面積に応じて、所定の情報を前記情報表示領域に表示するステップである
ことを特徴とする情報表示方法。
【請求項１５】
前記表示ステップは、前記情報表示領域の面積についての閾値と、該閾値と前記情報表示領域の面積との数的関係に応じて表示すべき情報を決定するステップであることを特徴とする請求項１４に記載の情報表示方法。
【請求項１６】
前記表示ステップは、面積が前記閾値より小である情報表示領域には前記面積に応じて情報容量が小である情報を表示し、面積が前記閾値より大である情報表示領域には前記面積に応じて情報容量が大である情報を表示するステップであることを特徴とする請求項１４又は１５に記載の情報表示方法。
【請求項１７】
前記表示ステップは、前記表示した情報の情報容量が小である場合に前記面積が大である情報表示領域を表示させ、該面積が大である情報表示領域に前記情報容量が大である情報を表示するステップであることを特徴とする請求項１６に記載の情報表示方法。
【請求項１８】
前記情報にはＨＴＭＬタグとＸＭＬタグのうちの少なくとも一方が用いられることを特徴とする請求項１４乃至１７のいずれか１項に記載の情報表示方法。
【請求項１９】
他の装置から前記情報を受信する受信ステップと、他の装置へ前記情報を送信する送信ステップのうちの少なくとも一方を有することを特徴とする請求項１４乃至１８のいずれか１項に記載の情報表示方法。
【発明の詳細な説明】
【０００１】
【発明の属する技術分野】
本発明は、仮想３次元空間を表示し、さらに該仮想３次元空間上に情報を表示する情報表示装置、情報表示プログラム、プログラム記録媒体及び情報表示方法に関する。
【０００２】
【従来の技術】
仮想３次元空間上に等の情報を表示する情報表示装置で用いられるコンピュータグラフィックスのリアルタイムアニメーションの分野における技術としては、ＬＯＤ（Ｌｅｖｅｌ  Ｏｆ  Ｄｅｔａｉｌ）が挙げられる。これは、実時間でコンピュータに画像を表示しなくてはならない制約上、シーン内の物体に重要度を与えておき、重要なものからモデリング・レンダリングを行う他、モデルごとに複数のデータを用意しておき、それを状況に応じて切り替える技術である。
また、情報表示装置には、Ｗｅｂページ等を多重同時に表示閲覧する技術が用いられている（例えば、特許文献１参照）。
【０００３】
【特許文献１】
特開２０００−９９２３２号公報（第５頁、第２図）
【０００４】
【発明が解決しようとする課題】
しかしながら、上記の従来の技術には以下に示すような解決すべき課題が存在する。
【０００５】
上記の従来の技術に依れば、複数のＷｅｂページを同時に表示することで、大量の情報を短時聞で閲覧することが可能である。
【０００６】
しかし、Ｗｅｂページが大量に仮想３次元空間に表示された場合、表示されたＷｅｂページの中でユーザ等から見て仮想３次元空間の奥、つまり、ユーザ等からの見かけ上の距離が大である位置に表示されるＷｅｂページは、ユーザ等が視覚的に認識することが困難なほど縮小された状態で表示され、ユーザ等はＷｅｂページに含まれる情報を閲覧することができないという問題点がある。
【０００７】
このような事情に鑑み本発明は、仮想３次元空間における画像表示の優位性を損なわずに、ユーザ等からの見かけ上の距離に関わらず大量の情報を閲覧することが可能な情報表示装置、情報表示プログラム、プログラム記録媒体及び情報表示方法を提供することを目的とする。
【０００８】
【課題を解決するための手段】
請求項１に記載の本発明は、仮想３次元空間を表示し、さらに仮想３次元空間上に情報を表示する情報表示装置であって、仮想３次元空間上に情報表示領域を表示する領域表示手段と、情報表示領域に情報を表示する情報表示手段とを有し、領域表示手段は、情報表示領域を表示するにあたって、情報表示領域の面積を変化させる手段であり、情報表示手段は、情報表示領域の面積に応じて、所定の情報を情報表示領域に表示する手段であることを要旨とする。
【０００９】
請求項２に記載の本発明は、請求項１に記載の発明において、情報表示手段は、情報表示領域の面積についての閾値と、閾値と情報表示領域の面積との数的関係に応じて表示すべき情報を決定する手段であることを要旨とする。
【００１０】
請求項３に記載の本発明は、請求項１又は２に記載の発明において、情報表示手段は、面積が閾値より小である情報表示領域には面積に応じて情報容量が小である情報を表示し、面積が閾値より大である情報表示領域には面積に応じて情報容量が大である情報を表示する手段であることを要旨とする。
【００１１】
請求項４に記載の本発明は、請求項３に記載の発明において、情報表示手段は、表示した情報の情報容量が小である場合に領域表示手段を制御することにより面積が大である情報表示領域を表示させ、面積が大である情報表示領域に情報容量が大である情報を表示する手段であることを要旨とする。
【００１２】
請求項５に記載の本発明は、請求項１乃至４のいずれか１項に記載の発明において、情報にはＨＴＭＬタグとＸＭＬタグのうちの少なくとも一方が用いられることを要旨とする。
【００１３】
請求項６に記載の本発明は、請求項１乃至５のいずれか１項に記載の発明において、他の装置から情報を受信する受信手段と、他の装置へ情報を送信する送信手段のうちの少なくとも一方を有することを要旨とする。
【００１４】
請求項７に記載の本発明は、コンピュータに仮想３次元空間を表示させ、さらに仮想３次元空間上に情報を表示させるための情報表示プログラムであって、コンピュータを、仮想３次元空間上に情報表示領域を表示する領域表示手段と、情報表示領域に情報を表示する情報表示手段として機能させ、領域表示手段を、情報表示領域を表示するにあたって、情報表示領域の面積を変化させる手段として機能させ、情報表示手段を、情報表示領域の面積に応じて、所定の情報を情報表示領域に表示する手段として機能させることを要旨とする。
【００１５】
請求項８に記載の本発明は、請求項７に記載の発明において、情報表示手段を、情報表示領域の面積についての閾値と、閾値と情報表示領域の面積との数的関係に応じて表示すべき情報を決定する手段として機能させることを要旨とする。
【００１６】
請求項９に記載の本発明は、請求項７又は８に記載の発明において、情報表示手段を、面積が閾値より小である情報表示領域には面積に応じて情報容量が小である情報を表示し、面積が閾値より大である情報表示領域には面積に応じて情報容量が大である情報を表示する手段として機能させることを要旨とする。
【００１７】
請求項１０に記載の本発明は、請求項９に記載の発明において、情報表示手段を、表示した情報の情報容量が小である場合に領域表示手段を制御することにより面積が大である情報表示領域を表示させ、面積が大である情報表示領域に情報容量が大である情報を表示する手段として機能させることを要旨とする。
【００１８】
請求項１１に記載の本発明は、請求項７乃至１０のいずれか１項に記載の発明において、情報にはＨＴＭＬタグとＸＭＬタグのうちの少なくとも一方が用いられることを要旨とする。
【００１９】
請求項１２に記載の本発明は、請求項７乃至１１のいずれか１項に記載の発明において、コンピュータを、他の装置から情報を受信する受信手段と、他の装置へ情報を送信する送信手段のうちの少なくとも一方として機能させることを要旨とする。
【００２０】
請求項１３に記載の本発明は、請求項７乃至１２のうちの少なくとも１項に記載の情報表示プログラムを記録したことを要旨とする。
【００２１】
請求項１４に記載の本発明は、仮想３次元空間を表示し、さらに仮想３次元空間上に情報を表示する情報表示方法であって、仮想３次元空間上に情報表示領域を表示する領域表示ステップと、情報表示領域に情報を表示する表示ステップとを有し、領域表示ステップは、情報表示領域を表示するにあたって、情報表示領域の面積を変化させるステップであり、表示ステップは、情報表示領域の面積に応じて、所定の情報を情報表示領域に表示するステップであることを要旨とする。
【００２２】
請求項１５に記載の本発明は、請求項１４に記載の発明において、表示ステップは、情報表示領域の面積についての閾値と、閾値と情報表示領域の面積との数的関係に応じて表示すべき情報を決定するステップであることを要旨とする。
【００２３】
請求項１６に記載の本発明は、請求項１４又は１５に記載の発明において、表示ステップは、面積が閾値より小である情報表示領域には面積に応じて情報容量が小である情報を表示し、面積が閾値より大である情報表示領域には面積に応じて情報容量が大である情報を表示するステップであることを要旨とする。
【００２４】
請求項１７に記載の本発明は、請求項１６に記載の発明において、表示ステップは、表示した情報の情報容量が小である場合に面積が大である情報表示領域を表示させ、面積が大である情報表示領域に情報容量が大である情報を表示するステップであることを要旨とする。
【００２５】
請求項１８に記載の本発明は、請求項１４乃至１７のいずれか１項に記載の発明において、情報にはＨＴＭＬタグとＸＭＬタグのうちの少なくとも一方が用いられることを要旨とする。
【００２６】
請求項１９に記載の本発明は、請求項１４乃至１８のいずれか１項に記載の発明において、他の装置から情報を受信する受信ステップと、他の装置へ情報を送信する送信ステップのうちの少なくとも一方を有することを要旨とする。
【００２７】
【発明の実施の形態】
以下、図面を用いつつ本発明の情報表示装置、情報表示プログラム、プログラム記録媒体及び情報表示方法についての説明を行う。
なお、以下の実施の形態は、あくまでも本発明の説明のためのものであり、本発明の範囲を制限するものではない。したがって、当業者であれば、これらの各要素又は全要素を含んだ各種の実施の形態を採用することが可能であるが、これらの実施の形態も本発明の範囲に含まれる。
また、実施の形態を説明するための全図において、同一要素のものは同一符号を付与し、これに関する反復説明は省略する。
【００２８】
図１は、本発明の一実施の形態に係る情報表示装置１の構成を示すブロック図である。
情報表示装置１は、請求項に記載の領域表示手段と情報表示手段とに含まれる表示部１１及び画像表示制御部１２と、請求項に記載の領域表示手段に含まれる領域表示制御部１３と、領域情報記憶部１４と、請求項に記載の情報表示手段に含まれる閲覧情報表示制御部１５と、情報記憶部１６と、請求項に記載の受信手段及び送信手段に含まれる情報送受信部１７とを有する。
【００２９】
表示部１１は、仮想３次元空間、情報表示領域、これに表示される情報を表示する。なお、情報表示領域、これに表示される情報については後述する。
【００３０】
領域表示制御部１３は、ユーザ等が閲覧する情報（以下、“閲覧情報”とする）を表示するための情報表示領域を仮想３次元空間上に配置するにあたっての座標に基づいて情報表示領域を表示部１１に表示される仮想３次元空間上に表示するためのものである。
【００３１】
また、この領域表示制御部１３は、表示する情報表示領域の面積を自由に設定可能であり、面積が小である情報表示領域を表示した場合、ユーザ等は、この情報表示領域が仮想３次元空間の奥（見かけ上の距離が大である位置）にあると認識し、これに対して、面積が小である情報表示領域を表示した場合、ユーザ等は、この情報表示領域が仮想３次元空間の手前（見かけ上の距離が小である位置）にあると認識する。
【００３２】
領域情報記憶部１４は、前述の座標、情報表示領域の面積等に関する領域情報を記憶する。
【００３３】
この領域情報記憶部１４に記憶された情報は、領域表示制御部１３が情報表示領域を表示する際に用いられるが、これに限定されず、領域情報記憶部１４を介さずに、ネットワーク２に接続可能であり、情報の送受信が可能な情報送受信部１７が前述の各種情報を入手し、これに基づいて情報表示領域を表示することもできる。また、情報送受信部１７が入手した情報を領域情報記憶部１４に格納する構成とすることもできる。
【００３４】
閲覧情報表示制御部１５は、情報表示領域にイメージデータ、テキストデータ等の閲覧情報を情報表示領域に表示するためのものである。
【００３５】
この閲覧情報表示制御部１５は、情報表示領域の面積についての閾値と、この閾値と情報表示領域の面積との数的関係（大小関係）に応じて表示すべき閲覧情報を決定する。
【００３６】
より具体的には、面積が閾値より小である情報表示領域には面積に応じて情報容量が小である閲覧情報を表示し、面積が閾値より大である情報表示領域には面積に応じて情報容量が大である閲覧情報を表示する。
【００３７】
これにより、ユーザ等は仮想３次元空間上の奥に表示された、つまり面積で小である情報表示領域からでも最低限の情報を入手することが可能となり、前述の従来技術のように情報の閲覧ができないという事態を防止できる。さらに、このような情報表示領域を複数個表示させることにより、ユーザ等は大量の情報を閲覧することが可能となる。
【００３８】
また、閲覧情報表示制御部１５は、表示した情報の情報容量が小である場合に領域表示制御部１３を制御することにより面積が大である情報表示領域を表示させ、面積が大である情報表示領域に情報容量が大である閲覧情報を表示できる。
【００３９】
例えば、面積で小である情報表示領域に情報容量が小である閲覧情報として店舗名と電話番号のみが表示されている場合、ユーザ等はこの店舗を利用するにあたっての最低限の情報を入手することができるが、情報容量が大である、つまり詳細な閲覧情報としての店舗のメニューや地図等を面積が大である情報表示領域に表示させることにより、ユーザ等はより大量の情報を閲覧することが可能となる。
【００４０】
なお、前記の閲覧情報にはＨＴＭＬ（Ｈｙｐｅｒ  Ｔｅｘｔ  Ｍａｒｋｕｐ  Ｌａｎｇｕａｇｅ）タグとＸＭＬ（ｅＸｔｅｎｓｉｂｌｅ  Ｍａｒｋｕｐ  Ｌａｎｇｕａｇｅ）タグのうちの少なくとも一方を用いることができる。
【００４１】
なお、表示部１１に表示された情報表示領域及び閲覧情報にはＷｅｂページも含まれる。また、情報表示領域、閲覧情報及び仮想３次元空間を単一のＷｅｂページとすることもできる。
【００４２】
情報記憶部１６は、閲覧情報を記憶する。
この情報記憶部１６に記憶された閲覧情報は、閲覧情報表示制御部１５が情報を表示する際に用いられるが、これに限定されず、情報記憶部１６を介さずに、前述の情報送受信部１７が情報を入手し、これに基づいて情報を表示することもできる。また、情報送受信部１７が入手した閲覧情報を情報記憶部１６に格納する構成とすることもできる。
【００４３】
画像表示制御部１２は、仮想３次元空間を表示部１１に表示し、また、前記の領域表示制御部１３が情報表示領域を表示し、閲覧情報表示制御部１４が閲覧情報を表示するにあたって、情報表示領域と閲覧情報を統合し、これを仮想３次元画像空間に表示させる。
【００４４】
なお、画像表示制御部１２が情報表示領域と閲覧情報との統合を行わず、領域表示制御部１３と閲覧情報表示制御部が同調することにより情報表示領域と閲覧情報とを仮想３次元空間に表示することもできる。
【００４５】
なお、本実施の形態における情報送受信部１７は、送信と受信の両方の機能を有する場合を示したが、これに限定されず、情報送受信部１７を廃し、送信部と受信部のいずれか一方を有する構成とすることもできる。
【００４６】
図２は、図１の情報表示装置１の画面表示例を示す図である。
図１の表示部１１に表示された画面１００には、ＣＧ（Ｃｏｍｐｕｔｅｒ  Ｇｒａｐｈｉｃｓ）で描かれた仮想３次元空間が表示され、この仮想３次元空間には複数の情報表示画面１０１が表示されている。
【００４７】
この情報表示画面１０１は、前述の情報表示領域と閲覧情報とで構成され、情報表示領域の面積を変化させることにより、ユーザ等に自己と情報表示画面１０１との間に距離があると認識させる。上記の距離はあくまでも仮想３次元空間における距離であるので、いわば「見かけ上の距離」であるといえ、最も面積も大きなもの、つまりユーザ等にとって最も近い位置にあると認識できるものが１０１ａ、最も小さなもの、つまり最も遠い位置にあると認識できるものが１０１ｃ、これらの中間の大きさのもの、つまり中間の位置にあると認識できるものが１０１ｂである。
【００４８】
また、例えば、情報表示画面１０１ａ１、１０１ｂ１、１０１ｃ１は同じ「ハートマーク」に関する情報が表示されているが、その情報容量、つまり情報の詳細度が其々異なり、情報表示画面１０１ｃには「タイトル」と「ハートマーク」のイメージデータのみが表示されているが、情報表示画面１０１ａ２、そして１０１ａ３へと面積が大きくなるに連れ、表示される情報の量（容量）も大きくなり、情報の詳細度も増加している。
【００４９】
図３は、図１の情報表示装置１における画像表示の原理を説明する図である。
なお、本実施の形態においては、前述の情報表示領域の面積の閾値としてＡおよびＢという値が定められている。
【００５０】
前述のとおり、本発明の情報表示装置は、ユーザ等と情報表示領域の見かけ上の距離を表現するにあたって情報表示領域の表示面積を変化させる。したがって、上記の面積の閾値Ａ及びＢは見かけ上の距離についての閾値であるともいえ、以降は、これらの閾値Ａ及びＢは、「表示面積を変化させることにより表現される見かけ上の距離に関する閾値」として説明を行う。
また、本図においては、予め３種類の閲覧情報１０５ａ、１０５ｂ及び１０５ｃが用意されている場合を示す。
【００５１】
例えば、ユーザから表示領域１０４までの距離がＡ未満であれば、表示領域１０４には閲覧情報１０５ａを表示する。この結果として表示される情報表示画面は、図２の情報表示画面１０１ａ１である。
【００５２】
また、ユーザ等から表示領域１０４までの距離がＡ以上Ｂ未満であれば、表示領域１０４には閲覧情報１０５ｂを表示する。この結果として表示される情報表示画面は、図２の情報表示画面１０１ｂ１である。
【００５３】
また、ユーザ等から表示領域までの距離がＡ以上であれば、表示領域１０４には閲覧情報１０５ｃを表示する。この結果として表示される情報表示画面は、図２の情報表示画面１０１ｃ１である。
【００５４】
本発明情報表示装置は、ユーザ等と表示領域１０４との距離を常に測定・管理するための測定管理部（図示せず）を有し、もしユーザ等あるいは表示領域１０４の位置が変わり、それに伴って距離が変化したときは、その変化にしたがって適切な閲覧情報を改めて表示する。
【００５５】
また、予め閲覧情報を用意しておくのではなく、ＨＴＭＬタグとＸＭＬタグのうちの少なくとも一方を手がかりとして用いることにより、例えば、ユーザ等から表示領域までの距離がＡ未満であれば、その表示領域１０４には該当するＨＴＭＬファイルとＸＭＬファイルのうちの少なくとも一方を表示する構成とすることも可能である。
【００５６】
その他、例えば、ユーザ等から表示領域までの距離がＡ以上Ｂ未満であれば、その表示領域にはＨＴＭＬファイルとＸＭＬファイルの少なくとも一方の画像および〈ＴＩＴＬＥ〉タグで囲まれたテキスト部を表示し、ユーザ等から表示領域までの距離がＡ以上であれば、その表示領域には〈ＴＩＴＬＥ〉タグで囲まれたテキスト部のみを表示する構成とすることも可能である。
したがって、情報表示領域に表示すべき閲覧情報をより正確かつ迅速に決定することが可能となる。
【００５７】
また、上記のように、見かけ上の距離に応じてＨＴＭＬファイル、ＸＭＬファイルのどの部分を表示するかというルールについては、表示する情報の性質に応じ、適宜設定が行われる。
【００５８】
図４は、図１の情報表示装置１の作用を示すシーケンス図である。なお、本図においては、仮想３次元空間は予め表示されていることを前提にしている。
閲覧情報記憶部１６は、情報送受信部１７を介して閲覧情報を受信し、これを記憶する（Ｓ１）。
【００５９】
領域表示表示制御部１３は、領域情報記憶部１４から領域情報を読み出し、これを解析し（Ｓ２）、適切な閲覧情報の読み出し要求を閲覧情報表示制御部１５へ送信する（Ｓ３）。
【００６０】
閲覧情報表示制御部１５は、閲覧情報読み出し要求を受信し（Ｓ４）、これに基づいて適切な閲覧情報を閲覧情報記憶部１６より読み出し、これを画像表示制御部１２へ送信する（Ｓ５）。
【００６１】
領域表示制御部１３は、領域情報を画像表示制御部１２へ送信する（Ｓ６）。
【００６２】
画像表示制御部１２は、閲覧情報と領域情報とを受信し、これを統合することにより情報表示画面を生成し、これを表示部１１へ送信し（Ｓ７）、表示部１１は情報表示画面を予め表示していた仮想３次元空間に表示する（Ｓ８）。
【００６３】
なお、上記の情報表示装置としては、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ハードディスクドライブ、フレキシブルディスクドライブ、キーボード、ディスプレイ、通信ネットワークに接続して通信を行うための通信部等を有したコンピュータを用いることが可能であり、これにあたっては、前述の各部の機能を発現させるための情報表示プログラムが読み込まれ、実行される。したがって、この情報表示プログラムと、これを記録したフレキシブルディスク、ＣＤ−ＲＯＭ（Ｃｏｍｐａｃｔ  ＤｉｓｋＲｅａｄ  Ｏｎｌｙ  Ｍｅｍｏｒｙ）、ＰＣ（Ｐｅｒｓｏｎａｌ  Ｃｏｍｐｕｔｅｒ）カード等のプログラム記録媒体、そして上記の情報表示装置を用いた情報表示方法も本発明の範囲に含まれる。
【００６４】
【発明の効果】
以上のとおり本発明の情報表示装置、情報表示プログラム及び情報表示方法は、情報表示領域の面積に応じて、所定の情報を情報表示領域に表示させ、これを行うにあたっては、情報表示領域の面積についての閾値と、この閾値と情報表示領域の面積との数的関係（大小関係）に応じて表示すべき情報を決定するため、ユーザ等は仮想３次元空間上の奥に表示された、つまり面積で小である情報表示領域からでも最低限の情報を入手することが可能となり、前述の従来技術のように情報の閲覧ができないという事態を防止できる。さらに、このような情報表示領域を複数個表示させることにより、ユーザ等は大量の情報を閲覧することができる。
【００６５】
また、情報表示領域に表示した情報の情報容量が小である場合に面積が大である情報表示領域を表示させ、面積が大である情報表示領域に情報容量が大である情報を表示するため、ユーザ等はより大量の情報を閲覧することができる。
【００６６】
また、情報表示領域に表示する情報にＨＴＭＬタグとＸＭＬタグのうちの少なくとも一方を用いるため、情報表示領域に表示すべき情報をより正確かつ迅速に決定することができる。
【００６７】
また、本発明のプログラム記録媒体は、上記の特徴を有する情報表示プログラムを記録しているため、これをコンピュータに読み込ませ、実行させることにより利便性に富んだ情報表示装置を容易に実現させることができる。
【００６８】
以上の点から、仮想３次元空間における画像表示の優位性を損なわずに、ユーザ等からの見かけ上の距離に関わらず大量の情報を閲覧することが可能な情報表示装置、情報表示プログラム、プログラム記録媒体及び情報表示方法を提供することが可能となる。
【図面の簡単な説明】
【図１】本発明の情報表示装置の構成を示すブロック図である。
【図２】図１の情報表示装置の画面表示例を示す図である。
【図３】図１の情報表示装置における画像表示の原理を説明する図である。
【図４】図１の情報表示装置の作用を示すシーケンス図である。
【符号の説明】
１  情報表示装置
２  ネットワーク
１１  表示部
１２  画像表示制御部
１３  領域表示制御部
１４  領域情報記憶部
１５  閲覧情報表示制御部
１６  情報記憶部
１７  情報送受信部
【図１】
2004178085.tif 000003
【図２】
2004178085.tif 000004
【図３】
2004178085.tif 000005
【図４】
2004178085.tif 000006